(57)【要約】【課題】  化粧品、健康食品などの軽量物品宅配に適した用梱包具を提供する。【解決手段】  ベースボード６と、抑えシート７とを有している。ベースボード６は、物品搭載面６ａと、立下り部８と、立上り部９と、支え部５とに区画されている。物品搭載面６ａは、梱包物品を搭載する面であり、立下り部８は、その両側縁を一定の幅で下向きに折り返す部分であり、立上り部９は、両端縁を一定の幅で上向きに折り返す部分である。支え部５は、ベースボード６の四隅の部分であり、立下り部８及び立上り部９を折り返したときにベースボード６の脚として立下り部８を下向きの垂直姿勢に保持させるものである。抑えシート７は、ベースボード６上の物品１の表面を覆い、立下り部８の折り曲げにより、緊張して物品１を定位置に保持させるものである。【選択図】  図１
2011111205.tif 000002
【特許請求の範囲】
【請求項１】
ベースボードと、抑えシートとを有し、物品を収納して外箱内に格納する物品運送用梱包具であって、
ベースボードは、物品搭載面と、立下り部と、立上り部と、支え部とに区画された方形の板であり、
物品搭載面は、ベースボードの中央領域に確保された梱包物品を搭載する面であり、
立下り部は、物品搭載面の両側縁を一定の幅で下向きに折り返す部分であり、
立上り部は、物品搭載面の両端縁を一定の幅で上向きに折り返す部分であり、
支え部は、立下り部と、立上り部とが交差するベースボードの四隅の部分であり、立下り部を下向きに、立上り部を上向きに折り返したときに立上り部の外面に密着して折曲され、ベースボードの脚として立下り部を下向きの姿勢に保持させるものであり、
抑えシートは、少なくとも両端がベースボードの両立下り部の端縁に固定され、ベースボード上の物品の表面を覆い、立下り部の折り曲げにより、緊張して物品をベースボードに押付け、物品の横ずれを阻止してこれを定位置に保持させるものであることを特徴とする物品運送用梱包具。
【請求項２】
前記立下り部は、立下り部区画線によって物品搭載面の両側に形成された領域であり、
前記立下り部区画線は、折曲線としてベースボードの両側縁に平行に引かれた直線であり、
前記立上り部は、立上り部区画線によって物品搭載面の両端に形成された領域であり、
前記立上り部区画線は、折曲線としてベースボードの両端縁に平行に引かれた直線であり、
前記支え部は、立下り部と立上り部とが交差するベースボードの四隅において、支え部支持線と、脚支持線とによって区画された領域であり、
前記支え部支持線は、立下り部区画線の延長上に引かれ、立上り部の板面を一定角度で内向きに傾斜する直線状の折り曲げ線であり、
前記脚支持線は、立上り部の延長方向に直線状に引かれた折り曲げ線であることを特徴とする請求項１に記載の物品運送用梱包具。
【請求項３】
前記支え部支持線と、脚支持線とは、前記立下り部を下向きに折り曲げることによって折曲され、
前記支え部は、前記立上り部に対し角度をなして折曲され、立下り部を下向きの姿勢に保持するものであることを特徴とする請求項２に記載の物品運送用梱包具。
【請求項４】
前記支え部は、立下り部と立上り部とが交差するベースボードの四隅において、立上り部の外縁と基部とを上下辺とし、支え部支持線と、脚支持線とを脚とする不等脚台形に区画された部分であり、脚支持線は、不等脚台形の上、下辺に直交する直線であり、支え部支持線は、不等脚台形の下辺から上辺に向け鋭角をなして傾斜する直線であることを特徴とする請求項２に記載の物品運送用梱包具。
【請求項５】
支え部支持線の傾斜角は、ベースボードの脚として下向きに折曲される立下り部の角度を決定するものであることを特徴とする請求項２に記載の物品運送用梱包具。
【発明の詳細な説明】
【技術分野】
【０００１】
本発明は、化粧品や健康食品などの物品を格納して運搬する物品運送用梱包具、特に宅配便に好適な通販用の物品運送用梱包具に関する。
【背景技術】
【０００２】
宅配便用の物品運送用梱包具に関しては、例えばノートパソコン、その他電子機器類を郵便或いは宅配便にて運送するときに、その梱包には、衝撃から充分に保護されるような対策が必要である。
【０００３】
このような物品の輸送用梱包具として例えば特許文献１にベースボードとフレキシブルフィルムとの組合わせによる梱包具が記載されている。この梱包具は、図７のように長方形のベースボード２１の板面に、抑えシート２２としてフレキシブルフィルムを重ね、両縁をベースボードの端に接着したものである。
【０００４】
収納物品Ｍは、図８のようにベースボード２１と抑えシート２２間にはさみ、図９のように物品Ｍの両側のベースボード２１の板面に付された折り曲げ線２３に沿って抑えシート２２が接着されたベースボード２１の両側縁部２４を物品の搭載面とは逆方向に折り返し、さらに図１０に示すようにベースボード２１板面の両端部２５を上方に起立させて運搬用の外箱２６内に格納される。
【０００５】
ところで、図７に示すような構造の梱包具によるときには、ベースボード２１の両側縁を裏側に折り返すことによって、抑えシート２２として用いられたフレキシブルフィルムは緊張し、収納物品は、フレキシブルフィルムに圧着されてベースボードの板面に定着させて外箱２６内に物品Ｍを安定に支持することは可能であるが、図１０を見て明らかなように、物品Ｍは、両側縁部２４の折り返し縁が下面に折り重ねられたベースボード２１の上面に搭載されているのみであるため、物品Ｍを収納した外箱２６の運搬時その他取扱い時に誤って外箱２６を落下させた場合には、その衝撃が外箱２６の底からベースボード２１を通じて直接物品Ｍに衝撃力が作用し、物品を破損させる危険性が高いという問題点がある。
【０００６】
もっとも、特許文献１に記載された梱包具には、この点に関しても例えば、図１１に示すように、ベースボード２１に折り畳み部２７を付設し、図１２のようにこれをベースボード２１の物品搭載面の両側に起立させて物品の搭載面の下方に緩衝空間を形成するといった案が提案されている。しかしながら、ベースボード２１に折り畳み部２７のような特別の部分を付設することは、ベースボード２１の台紙自体が大型となるだけでなく、組立てに余計な手数を要するといった問題が生じる。
【０００７】
また、物品Ｍを落下などの衝撃から保護するための対策は、専ら抑えシート２２の押圧による緊締力のみに依存するものであるため、収納物品が例えばノートパソコンのように比較的薄くて重量が大きい物品であるときには、抑えシート２２の緊締力に抗してベースボード２１の板面を横滑りしてベースボード２１の側縁あるいは端縁に達し、このため、外箱に加えられる衝撃が直接物品Ｍに加えられるといった事態が生じる危険性がある。このような問題点を解決するため、発明者らは、先に特別の部分を付加する必要がなく、抑えシートが貼り付けられたベースボードの部分を正規に折り曲げるだけでベースボードの下方に緩衝空間が自ずから形成できる物品搬送用梱包具を提案した（特許文献２参照）。
【０００８】
特許文献２に記載の梱包具は、図１３に示すように要するに物品３１をベースボード３６と、抑えシート３７間に差し込み、両立下り部４１の脚部３９をベースボード３６の端縁から下向きに直角に折り曲げ、ついで底部４０を水平に折り返し、さらに立上り部４２をベースボード３６の両側縁から上向きに折り返して定型に組立てたものである。その結果、両立下り部４１は定位置に保持され、ベースボード３６と底部４０間には、脚部３９に相当する高さの緩衝空間が自ずから形成され、また立上り部４２につながる脚部３９の両端の三角形の部３８を側方に張り出させて梱包具の側方にも緩衝空間が形成することができる。
【０００９】
特許文献２に記載された梱包具は、特許文献１における両側縁部２４をベースボードの裏面に折り返す要領と同じ扱いで両立下り部４１の脚部３９を下向きに、ついで底部４０を水平に折り返し、さらに立上り部４２を上向きに折り返すことによって、ベールボード３６の上下に緩衝空間を確保して堅牢な立体形状の梱包具に組立てることができ、ベースボード３６と、抑えシート３７との間に収納する物品がかなりの重量物であっても安定に保持できるという効果が得られる。この意味で、上記梱包具は、ノートパソコンなどの重量物の郵便或いは宅配便用物品梱包具として好適であるといえる。
【００１０】
しかしながら、通販で扱われる商品は、必ずしもノートパソコンのような比較的重量の大きい物品に限らない。例えば化粧品、健康食品、書籍、商品見本といった物品には比較的軽量でかさばらないものがある。このような比較的軽量で嵩張らない物品の宅配には、上記のような堅牢な梱包具は必要でなく、輸送コストを抑えるためにも、軽量で簡便な梱包具が必要である。もっとも、簡便で、軽量であっても、運搬中に外部から加えられる衝撃、振動からは有効に保護できる構造でなければならない。
【先行技術文献】
【特許文献】
【００１１】
【特許文献１】ＵＳＰ５，６７８，６９５号
【特許文献２】特願２００５−６５１６８（米国特許公開番号  ＵＳ  ２００６／０２１３８０３  Ａ１）
【発明の開示】
【発明が解決しようとする課題】
【００１２】
解決しようとする問題点は、軽量でかつ比較的容量が小さい物品、例えば化粧品、健康食品、簡便で、軽量な梱包具であっても、運搬中に外部から加えられる衝撃、振動からは有効に保護できる構造であることが必要であるという点である。
【課題を解決するための手段】
【００１３】
本発明は、立上り部を上向きに折曲したときに、その折り曲げ姿勢を保持することによって、立上り部と、立下り部とを繋ぐ支え部が立下り部を下向きの姿勢に保持し、両立下り部を脚としてベースボースボードの下方に緩衝用空間を確保させる点を最大の特徴とする。
【発明の効果】
【００１４】
本発明による物品梱包具によれば、ベースボードの両端の立上り部を上向きに折曲することによって、立下り部は脚として下向きに折曲され、両立上り部を支えている限り、そのままの姿勢を保たせることができる。したがって、ベースボード上に物品を搭載し、そのまま運搬箱内に収容し、運搬箱の上蓋内面で両立上り部を支え、立下り部を運搬箱の内底に支えて密閉したときには、ベースボードを支える両立下り部間の空間が緩衝空間となり、搬送中に受ける衝撃から収納物品を有効に保護することができる。
【００１５】
また、ベースボードを支える両立下り部は、ベースボードの両側縁を単に下向きに折曲させるだけであるため、両立下り部間に形成される空間を、収納物品の取り扱いマニュアルや冊子あるいは別の商品やサンプルの収納空間に利用することができる。
【図面の簡単な説明】
【００１６】
【図１】（ａ）は、本発明の実施例１の梱包具を示す展開図、（ｂ）は（ａ）のＢ−Ｂ線断面図である。
【図２】立上り部と立下り部との間に形成される支え部の形状を示す図である。
【図３】（ａ）、（ｂ）、（ｃ）は、本発明の梱包具を用いて物品を梱包する要領を示す図であり、（ｄ）は（ｃ）のＤ−Ｄ線断面図である。
【図４】物品を梱包した梱包具を運搬箱に格納する要領を示す図である。
【図５】（ａ）は、運搬箱内に物品を梱包した状態を示す縦断面図、（ｂ）は、同横断面図である。
【図６】本発明の梱包具を用いて物品と冊子を梱包する要領を示す図である。
【図７】物品運送用梱包具の従来例の一つを示す展開図である。
【図８】図７に示す梱包具に物品を収納する様子を示す図である。
【図９】ベースボードの一部を折り曲げて抑えシートを緊張させる様子を示す図である。
【図１０】物品を保持させた梱包具を運搬箱内に収納する様子を示す図である。
【図１１】従来の物品運送用梱包具の他の例を示す展開図である。
【図１２】図１１の梱包具に物品を保持させて運搬箱に収納する時の組立て状態を示す図である。
【図１３】（ａ）は、先に提案した梱包具（１）の斜視図、（ｂ）は（ａ）の縦断面図である。
【発明を実施するための最良の形態】
【００１７】
本発明は、特許文献１に記載された物品梱包具と同じ扱いで両立下り部を下向きに折り返し、さらに立上り部を上向きに折り返すことによって、立体形状の梱包具に組立てるという目的を、簡易な構造によって実現した。
【実施例１】
【００１８】
本発明による物品運送用梱包具（以下梱包具という）は、緩衝材を兼ねる内装体として、外箱内に収容すべき物品を梱包するものである。本発明の梱包具は、厚紙あるいはダンボール紙によって作られたものであり、梱包する物品は、例えば化粧品や健康食品の単品あるいはセット商品であるが、主として軽量、小型の物品である。
梱包具２は、図１に示すように、ベースボード６と、抑えシート７との組を有し、ベースボード６と、抑えシート７間に物品を保持して定形の立体に組立て、これを外箱内に収容するものである。この外箱は、そのまま運搬箱であってもよく、さらに大きな運搬箱内に２箱以上を収容するものであってもよい。
【００１９】
図１（ａ）、（ｂ）において、この実施例ではベースボード６は、物品搭載面６ａと、立下り部８と、立上り部９と、支え部５とに区画された方形の板であり、物品搭載面６ａは、ベースボード６の中央領域に確保された梱包物品を搭載する方形の面である。立下り部８は、物品搭載面６ａの長辺側の両側縁を一定の幅で下向きに折り返す部分であり、立上り部９は、物品搭載面の短辺側の両端縁を一定の幅で上向きに折り返す部分である。支え部５は、立下り部８と、立上り部９とが交差するベースボード６の四隅の部分であり、後述するように立上り部９を上向きに折り返すことによって、立上り部９の外面に密着して折り返され、立下り部８を下向きの垂直姿勢に支える部分である。
【００２０】
前記立下り部８は、立下り部区画線８ａによって物品搭載面６ａの両側に形成された領域であり、前記立下り部区画線８ａは、折曲線としてベースボードの両側縁に平行に引かれた直線である。同様に前記立上り部９は、立上り部区画線９ａによって物品搭載面６ａの両端に形成された領域であり、前記立上り部区画線９ａは、折曲線としてベースボード６の両端縁に平行に引かれた直線である。
【００２１】
立上り部９の外縁には、外箱に梱包具を出し入れする際の把持部１０が立上り部９と同じ幅で平行に付設されている。立上り部９と把持部１０とは、把持部区画線１０ａによって区画されている。さらに、前記支え部５は、立下り部８と立上り部９とが交差するベースボードの四隅において、支え部支持線８ｂと、脚支持線９ｂとによって区画された領域である。図２に示すように前記支え部支持線８ｂは、立下り部区画線８ａの延長上で折れ曲がり、立上り部９の板面を一定角度θ（６０°≦θ＜９０°）で内向きの傾斜方向に延びる直線であり、脚支持線９ｂは、立上り部９の延長方向に直線状に引かれた折り曲げ線である。すなわち、支え部支持線８ｂと、高さ（ｈ）の立上り部９の外縁とを脚とし、立上り部９の一部（ａ）を下辺基部である脚支持線９ｂの長さ（ｂ）を上辺とする不等脚台形に区画された部分としてみたときに、脚支持線９ｂは、不等脚台形の上、下辺に直交して一方の脚を形成する直線であり、支え部支持線８ｂは、不等脚台形の下辺から上辺に向け鋭角（この例では約５５°）をなして傾斜して他方の脚を形成する直線である。
【００２２】
なお、把持部１０の基部には、把持部１０の両端からそれぞれ把持部区画線１０ａに達するスリット１１が形成され、支え部５の折曲に支障をきたさないようになっている。
【００２３】
なお、図２において、各支持線８ａ、８ｂ、９ａ、９ｂの４本の直線が交差する合流点に各折曲線の位置を頂点とする四辺形の開口４を形成している。この実施例では開口形状は異形の４角形となる。開口４は、要するに立上り部９、立下り部８および支え部５の折曲を容易にするためのものである。
【００２４】
抑えシート７は、この実施例においては、図１（ｂ）のように、ベースボード６と、両立上り部９、９間に跨ってその表面にあてがい、両端をベースボード６の裏面側に折り返し、両立下り部８を越えてベースボード６の裏面及び両立上り部９の裏面に跨って貼り付けている。もっとも、抑えシート７は、ベースボード６上に物品を押さえつけて定着させるためのものであるから、ベースボード６を横切ってその両端がベースボード６の板面に貼り付けられていればよいのであって、その貼り付け位置は必ずしもベースボード６の裏面側に折り返してその裏面に貼り付ける場合に限らない。なお、抑えシート７の固定に際しては、ベースボード６の紙面に熱溶着固定や接着剤で接着固定するほか、両面テープ等の貼付固定等で取付けられてもよい。
【００２５】
また、立下り部８は、長方形のベースボード６の長辺側に設定することが望ましい。長方形のベースボード６の長辺側に立下り部８を設定することによって、抑えシート７は幅の狭い長方形のベースボード６の板面を覆うに必要な長さで足り、シートの伸び率が小さく、強い押付け力が得られる。
【００２６】
また、抑えシート７に伸縮性を有するシートを用いることで可撓性や可塑性等の衝撃や圧力を吸収、回避することができる。環境への配慮、リサイクル性、衛生性、美粧性等を考慮すると、抑えシートには、好ましくは熱可塑性樹脂を原料とする透明フィルムが望ましい。
【００２７】
次に本発明の梱包具を用いて物品を梱包する要領を説明する。
図３（ａ）において、まず、両立下り部８，８を最初やや上向きに折り返してベースボード６と、抑えシート７との間を開き、立上り部９の面側から開かれたベースボード６と、抑えシート７との間に物品１を差し込む。
【００２８】
ついで、図３（ｂ）に示すように、抑えシート７の張力に抗して両立下り部８，８を、支え部支持線８ｂ、８ｂに沿って下向きに折り曲げ、ついで両端の立上り部９をベースボード６の物品搭載面に対し、図３（ｃ）のように上向きに直角に折り曲げる。これによって、支え部５は、支え部支持線８ｂに沿って立上り部９の面に対し斜め方向に内向きに折り曲げられ、支え部支持線８ｂに連なった立下り部８は、自ずから下向きに折曲される。立上り部９を一定角度（約３０°）の角度に保持することによって、立下り部８は、図３（ｄ）に示すように下向きの垂直姿勢となる。さらに立上り部９を直立姿勢に起立させたときには、両立下り部９は、角度をなして内向きに屈曲することになる。
【００２９】
立下り部８は、下向きの垂直姿勢でベースボード６の脚となってベースボード６の物品搭載面を支える。一方、ベースボード６上の物品は、抑えシート７に覆われ、抑えシート７は、立下り部８の折り曲げにより、緊張して物品１をベースボード６の搭載面６ａに押付け、物品１の横ずれを阻止してこれを定位置に安定に保持する。なお、抑えシート７は、この実施例に示すように両立下り部８を越えてベースボード６の裏面に跨って貼り付けていることにより、抑えシート７とベースボード６の間に物品を挟んだときに、抑えシートの緊張力が両立下り部８の表裏から作用して立下り部８を垂直姿勢に保持し、ベースボード６を安定して支えることができる。
【００３０】
ついでそのまま図４のように物品を包んだ梱包具２を外箱３内に入れ、外箱３を施蓋して梱包を完了する。
【００３１】
本発明において、ベースボード６を折曲して梱包具に組立てる場合に、各折曲線でベースボード６を折曲すると、特に複数本の折曲線が交差する四隅においては、各折曲線は、開口４の多角形の各頂点を基点としておのずから折曲されるため、予め定められた折曲線からずれることなく正規の折曲線に沿って正しく折り曲げることができ、組立てられた梱包具に変形が生じることなく、正規の形状に確実に組立てることができる。
【００３２】
なお、立下り部８には、抑えシート７の緊張による強い復元力が働くが、その復元力は専ら両端に起立させた立上り部９を水平姿勢に戻そうとする方向に作用しつつ図５（ａ）のように外箱３の両側内壁に支えられ、一方、立上り部９は傾斜姿勢に保たれ、その上縁の把持部１０が図５（ｂ）のように垂直姿勢となって外箱３の両端内壁に支えられる。これによって、梱包具２は外箱３内で一定の形態を保ち、ベースボード６上の物品１は、外箱３内に収容された状態で、抑えシート７の押圧力を受けてベースボード６上の定位置に安定に支持される。
【００３３】
ベースボード６の下面には、立下り部８の立上り高さの緩衝空間が形成される。この空間は、単に緩衝空間となるだけでは無く、商品のマニュアルやパンフレット、冊子類の収納用空間としても利用できる。もし、収納用空間内に内向きに折り曲げられた支え部５が商品のマニュアルやパンフレット、冊子類の挿入の妨げになるときには、図６に示すように支え部５の下縁近くで下縁と平行に切り込み５ａをいれて、切り込み５ａから下の部分、つまり冊子の高さ分をカットすることで支え部５に両立下り部間の間隔のスペースが生まれ、冊子Ｂを両立下り部８の間に挟みこむことができる。
【００３４】
本発明によれば、物品を搭載したベースボード６の物品搭載面の上下、両側方にも自ずから緩衝空間が形成され、これらの空間が外箱３に加えられる衝撃を吸収して物品１を破損から有効に保護できる。さらに、抑えシート７に一定以上の強度が確保されていれば、収納物品が、たとえ薄物でしかも重量物であっても、外箱３側から衝撃力を受けたときでも物品がベースボード６上を横滑りすることがなく、安定に定位置に保持して外部からの衝撃の影響をなくすことができる。
【産業上の利用可能性】
【００３５】
本発明は、化粧品、健康食品の運送用梱包具としてだけでなく、同様の形態の商品見本、菓子類の運送用梱包具として利用できるのは云うまでもない。また、抑えシートに透明シートを用いることによって梱包物品の状態を外部から透視できる。本発明の運送用梱包具は、物品の運搬、とくに宅配便用の梱包具としてきわめて有効である。
【符号の説明】
【００３６】
１  物品、２  梱包具、３  外箱、４  開口、５  支え部、５ａ  切り込み  ６  ベースボード、７  抑えシート、８  立下り部、８ａ  立下り部区画線、８ｂ  支え部支持線、９  立上り部、９ａ  立上り部区画線、９ｂ  脚支持線、１０  把持部、１０ａ  把持部区画線
【図１】
2011111205.tif 000003
【図２】
2011111205.tif 000004
【図３】
2011111205.tif 000005
【図４】
2011111205.tif 000006
【図５】
2011111205.tif 000007
【図６】
2011111205.tif 000008
【図７】
2011111205.tif 000009
【図８】
2011111205.tif 000010
【図９】
2011111205.tif 000011
【図１０】
2011111205.tif 000012
【図１１】
2011111205.tif 000013
【図１２】
2011111205.tif 000014
【図１３】
2011111205.tif 000015